(57)【要約】【課題】タッチ入力可能なスクリーンを具えた表示装置において、本体の運搬が容易であり、且つ本体を自立させることが出来、然も入力操作が容易な表示装置を提供する。【解決手段】本発明に係る表示装置は、本体１の背面に、本体１を自立させるためのスタンド２と、本体１を運搬するためのハンドル３とを具え、スタンド２とハンドル３は、本体１の背面に開き角度の調節が可能に枢支され、スタンド２を閉じると共に、ハンドル３を開いた状態で、該ハンドル３を本体１の支え部材として、本体１を水平に近い傾斜姿勢に支持することが出来る。【選択図】図８
2013148728.tif 000002
【特許請求の範囲】
【請求項１】
タッチ入力可能なスクリーンを具えた表示装置において、本体の背面に、本体を自立させるためのスタンドと、本体を運搬するためのハンドルとを具え、スタンドとハンドルは、本体の背面に開き角度の調節が可能に枢支され、スタンドを閉じると共にハンドルを開いた状態で、該ハンドルを本体の支え部材として、本体を水平に近い傾斜姿勢に支持することが出来ることを特徴とするタッチ入力可能なスクリーンを具えた表示装置。
【請求項２】
スタンドは、本体背面の下部に、水平の枢軸によって開閉可能に枢支され、ハンドルは、本体背面の上部に、水平の枢軸によって開閉可能に枢支されている請求項１に記載の表示装置。
【請求項３】
スタンドとハンドルは、それぞれ独立に開閉可能に枢支されている請求項１又は請求項２に記載の表示装置。
【請求項４】
スタンドとハンドルはそれぞれの基端部にて互いに連結された状態で枢支され、スタンドとハンドルとが一体となって揺動し、スタンドが開いたときにはハンドルが閉じ、スタンドが閉じたときにはハンドルが開く請求項１又は請求項２に記載の表示装置。
【請求項５】
スタンドとハンドルは、任意の開き角度を設定することが可能である請求項１乃至請求項４の何れかに記載の表示装置。
【請求項６】
スタンド及びハンドルの先端部には、接地面に対して摩擦抵抗力を発揮する部品が装着されている請求項１乃至請求項５の何れかに記載の表示装置。
【発明の詳細な説明】
【技術分野】
【０００１】
本発明は、タッチ入力可能なスクリーンを具えた表示装置に関するものである。
【背景技術】
【０００２】
従来、液晶ディスプレイ等の薄型ディスプレイを具えた表示装置においては、本体背面の上部にハンドルを取り付けると共に、本体背面の下部にスタンドを取り付けた表示装置が提案されている(特許文献１、２参照)。
この様な表示装置によれば、本体の運搬が容易であり、且つ本体を机上に自立させることが出来る。
【先行技術文献】
【特許文献】
【０００３】
【特許文献１】特開２００６−３５０２３５号公報
【特許文献２】特開２００８−４６４３５号公報
【発明の概要】
【発明が解決しようとする課題】
【０００４】
ところで、近年の表示装置においては、例えばディスプレイの表面にタッチパネルを配備して、画像表示とタッチ入力が可能なスクリーンを構成したものが提案されている。
【０００５】
この様な表示装置においては、スクリーンを指で押圧してタッチ入力を行なう場合、スタンドによって本体を自立させた状態でスクリーンを指で押圧すると、本体が後退して、入力操作が困難となる。そこで、本体を机上に寝かせた姿勢をとる必要があるが、本体の背面にハンドルやスタンドが配備されている場合、本体を机上に寝かせたときに安定した姿勢をとることが出来ない問題がある。
【０００６】
そこで本発明の目的は、タッチ入力可能なスクリーンを具えた表示装置において、本体の運搬が容易であり、且つ本体を自立させることが出来、然も入力操作が容易な表示装置を提供することである。
【課題を解決するための手段】
【０００７】
本発明に係るタッチ入力可能なスクリーンを具えた表示装置は、本体の背面に、本体を自立させるためのスタンドと、本体を運搬するためのハンドルとを具え、スタンドとハンドルは、本体の背面に開き角度の調節が可能に枢支され、スタンドを閉じると共に、ハンドルを開いた状態で、該ハンドルを本体の支え部材として、本体を水平に近い傾斜姿勢に支持することが出来る。
【０００８】
具体的態様において、スタンドは、本体背面の下部に、水平の枢軸によって開閉可能に枢支され、ハンドルは、本体背面の上部に、水平の枢軸によって開閉可能に枢支されている。
【０００９】
又、スタンドとハンドルは、それぞれ独立に開閉可能に枢支されている。
或いは、スタンドとハンドルはそれぞれの基端部にて互いに連結された状態で枢支され、スタンドとハンドルとが一体となって揺動し、スタンドが開いたときにはハンドルが閉じ、スタンドが閉じたときにはハンドルが開く。
【００１０】
更に具体的な態様において、スタンドとハンドルは、任意の開き角度を設定することが可能である。
又、スタンド及びハンドルの先端部には、接地面に対して摩擦抵抗力を発揮する部品が装着されている。
【発明の効果】
【００１１】
本発明に係るタッチ入力可能なスクリーンを具えた表示装置によれば、ハンドルを開いた状態で該ハンドルを把持することにより本体の運搬が容易であり、且つスタンドを開くことによって、本体を机上に自立させることが出来る。然も、スタンドを閉じると共にハンドルを開いた状態で、該ハンドルを本体の支え部材として、本体を水平に近い傾斜姿勢に支持することが出来るので、この状態で本体のスクリーンを指で押圧しても、本体が後退することはない。従って、入力操作は容易である。
【図面の簡単な説明】
【００１２】
【図１】図１は、本発明の一実施形態であるテレビジョン受像機におけるスタンド及びハンドルの全閉状態を示す斜視図である。
【図２】図２は、該テレビジョン受像機におけるスタンド及びハンドルの中間開き状態を示す斜視図である。
【図３】図３は、該テレビジョン受像機におけるスタンド及びハンドルの全開状態を示す斜視図である。
【図４】図４は、該テレビジョン受像機におけるスタンドの側面図である。
【図５】図５は、該テレビジョン受像機におけるスタンド及びハンドルの全閉状態を示す側面図である。
【図６】図２は、該テレビジョン受像機におけるスタンド及びハンドルの中間開き状態を示す側面図である。
【図７】図３は、該テレビジョン受像機におけるスタンド及びハンドルの全開状態を示す側面図である。
【図８】図８は、該テレビジョン受像機におけるタッチ入力操作時の状態を示す側面図である。
【図９】図９は、本発明の他の実施形態であるテレビジョン受像機におけるスタンド及びハンドルの第１揺動状態を示す斜視図である。
【図１０】図１０は、該テレビジョン受像機におけるスタンド及びハンドルの第２揺動状態を示す斜視図である。
【図１１】図１１は、該テレビジョン受像機におけるスタンド及びハンドルの第３揺動状態を示す斜視図である。
【図１２】図１２は、該テレビジョン受像機におけるスタンド及びハンドルの第２揺動状態を示す側面図である。
【図１３】図１３は、該テレビジョン受像機におけるスタンド及びハンドルの第３揺動状態を示す側面図である。
【図１４】該テレビジョン受像機におけるタッチ入力操作時の状態を示す側面図である。
【発明を実施するための形態】
【００１３】
以下、本発明をワイヤレス通信方式のテレビジョン受像機に実施した形態につき、図面に沿って具体的に説明する。
本発明の一実施形態であるテレビジョン受像機は、図１〜図３に示す如く、扁平な本体(１)の背面の下部にスタンド(２)を具えると共に、該背面の上部にハンドル(３)を具えている。
【００１４】
スタンド(２)は、基端部(20)が本体(１)の背面に枢支されて本体(１)から離れる方向へ延びる第１アーム部(21)と、該第１アーム部(21)の先端部に突設されて第１アーム部(21)と直交する第２アーム部(22)とを具えている。
ハンドル(３)は、基端部(30)が本体(１)の背面に枢支されて本体(１)から離れる方向へ延びる第１アーム部(31)と、該第１アーム部(31)の先端部に突設されて第１アーム部(31)と直交する第２アーム部(32)とを具えている。
【００１５】
スタンド(２)の第１アーム部(21)の基端部(20)には、図４に示す如く本体(１)に配備された枢軸(11)が水平方向に貫通し、該枢軸(11)の外周面には円筒状のラバー部品(23)が径方向に圧縮された状態で装着されている。
【００１６】
従って、スタンド(２)は、枢軸(11)を中心として鉛直面内で回動が可能であり、スタンド(２)が枢軸(11)を中心として回動する過程で、ラバー部品(23)がスタンド(２)の回動に摩擦抵抗力を与え、スタンド(２)が任意の開き角度まで開かれたときには、該スタンド(２)をその開き角度で保持する機能が発揮される。
【００１７】
又、スタンド(２)の第２アーム部(22)は、金属製の軸片(24)の外周面に円筒状のラバー部品(25)を装着して構成され、これによって、第２アーム部(22)が接地面に対して摩擦抵抗力を発揮する。
【００１８】
ハンドル(３)は、スタンド(２)と上下対称の形状と構造を有し、上述のラバー部品(23)(25)の摩擦抵抗による機能についても同様の構造を有している。
即ち、ハンドル(３)の第１アーム部(31)の基端部(30)には、本体(１)に配備された枢軸(図示省略)が水平方向に貫通し、該枢軸の外周面には円筒状のラバー部品(図示省略)が径方向に圧縮された状態で装着されている。
【００１９】
従って、ハンドル(３)は枢軸を中心として鉛直面内で回動が可能であり、ハンドル(３)が枢軸を中心として回動する過程で、ラバー部品がハンドル(３)の回動に摩擦抵抗力を与え、ハンドル(３)が任意の開き角度まで開かれたときには、該ハンドル(３)をその開き角度で保持する機能が発揮される。
【００２０】
又、ハンドル(３)の第２アーム部(32)は、金属製の軸片(図示省略)の外周面に円筒状のラバー部品(図示省略)を装着して構成され、これによって、第２アーム部(32)が接地面に対して摩擦抵抗力を発揮する。
【００２１】
上述のテレビジョン受像機においては、図１に示す如く、本体(１)の背面に対してスタンド(２)とハンドル(３)を閉じた姿勢(全閉状態)から、図２に示す如く、スタンド(２)を上方へ向けて開くと共に、ハンドル(３)を下方へ向けて開くことが出来、それぞれ任意の開き角度の状態(中間開き状態)で保持することが出来る。
図３に示す如く、スタンド(２)とハンドル(３)を最も大きな開き角度まで開くと、この状態(全開状態)で保持される。
【００２２】
従って、スタンド(２)とハンドル(３)の全閉状態では、図５の如く本体(１)に対してスタンド(２)及びハンドル(３)がコンパクトに折り畳まれることとなり、最小限のスペースでの収納が実現される。
【００２３】
又、中間開き状態では、図６に示す如く、スタンド(２)とハンドル(３)が任意角度まで開かれて、該ハンドル(３)によって本体(１)を支持することにより、タッチ入力スクリーン(10)を僅かに傾斜させた姿勢に設定した状態で、本体(１)を机上に自立させることが出来る。
この状態でハンドル(３)を把持することによって、本体(１)を容易に運搬することが出来る。
【００２４】
又、全開状態では、図７に示す如く、スタンド(２)とハンドル(３)が最大の開き角度まで開かれて、該スタンド(２)によって本体(１)を支持することにより、タッチ入力スクリーン(10)を更に傾斜させた姿勢に設定した状態で、本体(１)を机上に自立させることが出来る。
この状態でハンドル(３)を把持することによって、本体(１)を容易に運搬することが出来る。
【００２５】
更に又、図８に示す如く、スタンド(２)を閉じると共に、ハンドル(３)を開いた状態で、該ハンドル(３)を本体(１)の支え部材として、本体(１)を水平に近い傾斜姿勢に支持することが出来る。
【００２６】
この状態で、タッチ入力スクリーン(10)は水平に近い傾斜状態に設定されるので、該タッチ入力スクリーン(10)を指で押圧して入力操作を行なう場合、操作が容易であり、押圧力によって本体(１)が後退する虞もない。
特に、ハンドル(３)の第２アーム部(32)は、上述のラバー部品によって接地面に対して摩擦抵抗力を発揮するので、タッチ操作時の本体(１)の後退(スリップ)がより確実に防止されることになる。
【００２７】
図９〜図１１は、本発明の第２の実施形態であるテレビジョン受像機を示しており、本体(１)の背面には、スタンド(４)とハンドル(５)とが配備されている。
スタンド(４)とハンドル(５)は、互いに９０度以上、１８０度未満の開き角度で基端部(40)(40)にて互いに連結され、該基端部(40)(40)が水平の枢軸(図示省略)によって本体(１)の背面に枢支されている。
【００２８】
スタンド(４)は、本体(１)から離れる方向に延びる左右一対の第１アーム部(41)(41)と、両第１アーム部(41)(41)の先端を互いに連結する第２アーム部(42)とを具え、全体がＵ字状を呈している。
ハンドル(５)は、本体(１)から離れる方向に延びる左右一対の第１アーム部(51)(51)と、両第１アーム部(51)(51)先端を互いに連結する第２アーム部(52)とを具え、全体がＵ字状を呈している。
【００２９】
スタンド(４)には、図中にハッチングで示す様に、第２アーム部(42)の全体並びに第１アーム部(41)(41)の先端部を覆って、円筒状のラバー部品(43)が装着されている。
又、ハンドル(５)には、図中にハッチングで示す様に、第２アーム部(52)の全体並びに第１アーム部(51)(51)の先端部を覆って、円筒状のラバー部品(53)が装着されている。
【００３０】
スタンド(４)及びハンドル(５)は基端部(40)(40)を中心として鉛直面内で揺動が可能であり、図９に示す如くスタンド(４)を閉じると共にハンドル(５)を開いた状態(第１揺動状態)と、図１０に示す如くスタンド(４)及びハンドル(５)をともに開いた状態(第２揺動状態)と、図１１に示す如くスタンド(４)を開くと共にハンドル(５)を閉じた状態(第３揺動状態)とを設定することが出来る。
【００３１】
従って、第２揺動状態では、図１２に示す如くスタンド(４)によって本体(１)を支えることにより、タッチ入力スクリーン(10)を鉛直に近い傾斜姿勢に設定した状態で、本体(１)を自立させることが出来る。
又、第３揺動状態では、図１３に示す如くスタンド(４)によって本体(１)を支えることにより、タッチ入力スクリーン(10)を更に傾斜させた傾斜姿勢に設定した状態で、本体(１)を自立させることが出来る。
スタンド(４)の第２アーム部(42)は、上述のラバー部品(43)によって接地面に対して摩擦抵抗力を発揮するので、本体(１)を自立させた状態で一定位置に保持する効果が得られる。
【００３２】
更に、第１揺動状態では、図１４に示す如く、ハンドル(５)を本体(１)の支え部材として、本体(１)を水平に近い傾斜姿勢に支持することが出来る。
【００３３】
この状態で、タッチ入力スクリーン(10)は水平に近い傾斜状態に設定されるので、該タッチ入力スクリーン(10)を指で押圧して入力操作を行なう場合、操作が容易であり、押圧力によって本体(１)が後退する虞もない。
特に、ハンドル(５)の第２アーム部(52)は、上述のラバー部品(53)によって接地面に対して摩擦抵抗力を発揮するので、タッチ操作時の本体(１)の後退(スリップ)がより確実に防止されることになる。
【００３４】
本発明の各部構成は上記実施の形態に限らず、特許請求の範囲に記載の技術的範囲内で種々の変形が可能である。例えば、上記実施形態では、スタンドやハンドルの開き角度をラバー部品の摩擦抵抗によって規定する構成を採用しているが、これに限らず、例えば凹凸の係脱構造(軟係止構造)によって開き角度を規定することも可能である。
【符号の説明】
【００３５】
(１)  本体
(10)  タッチ入力スクリーン
(11)  枢軸
(２)  スタンド
(20)  基端部
(21)  第１アーム部
(22)  第２アーム部
(23)  ラバー部品
(３)  ハンドル
(30)  基端部
(31)  第１アーム部
(32)  第２アーム部
(４)  スタンド
(41)  第１アーム部
(42)  第２アーム部
(43)  ラバー部品
(５)  ハンドル
(51)  第１アーム部
(52)  第２アーム部
(53)  ラバー部品
【図１】
2013148728.tif 000003
【図２】
2013148728.tif 000004
【図３】
2013148728.tif 000005
【図４】
2013148728.tif 000006
【図５】
2013148728.tif 000007
【図６】
2013148728.tif 000008
【図７】
2013148728.tif 000009
【図８】
2013148728.tif 000010
【図９】
2013148728.tif 000011
【図１０】
2013148728.tif 000012
【図１１】
2013148728.tif 000013
【図１２】
2013148728.tif 000014
【図１３】
2013148728.tif 000015
【図１４】
2013148728.tif 000016